(57)【要約】【目的】構造の簡素化を図りつつ撮像素子を支持する部材を精度良く案内することができ、更に、前記部材に対する付勢や調整後の位置決めのための構造も簡素化できるフランジバック調整機構を提供する。【構成】撮像素子支持体３はそのガイド突起３１・３１をシャーシ５に形成された凹状ガイド片部５１・５１に係合させて光軸方向に移動可能になっている。撮像素子支持体３に形成された３つの摺接凸部３２が操作カム２の３つの傾斜部２１にそれぞれ当接しており、前記操作カム２の回動に応じた量で撮像素子支持体３が光軸方向に移動する。板状ばね部材４の延出弾性部４ｂは撮像素子支持体３を操作カム２側へ付勢する。板状ばね部材４の弾性板状体４ｃは操作カム２の外周立設壁２２に面当接し、ロック用ねじ１０を回すことで、弾性板状体４ｃが外周立設壁２２に面圧接する。【選択図】                図１
2004151251.tif 000002
【特許請求の範囲】
【請求項１】
レンズマウントと操作カムと撮像素子支持体と板状ばね部材とがシャーシを介して互いに連結されて成るフランジバック調整機構であって、操作カムは周回りに複数の傾斜部を有して回動自在に設けられ、撮像素子支持体はそのガイド突起を前記シャーシに一体的に形成された凹状ガイド片部に係合させて光軸方向に移動可能とされ且つ撮像素子支持体に形成された複数の摺接凸部が前記傾斜部にそれぞれ当接して前記操作カムの回動に応じた量で撮像素子支持体が移動し、前記板状ばね部材は前記撮像素子支持体を操作カム側へ付勢するように設けられていることを特徴とするフランジバック調整機構。
【請求項２】
請求項１に記載のフランジバック調整機構において、前記ガイド突起には段部が形成されており、前記段部が凹状ガイド片部の壁面に当たることで光軸方向に直交する方向の移動規制がなされるように構成されたことを特徴とするフランジバック調整機構。
【請求項３】
レンズマウントと操作カムと撮像素子支持体と板状ばね部材とがシャーシを介して互いに連結されて成るフランジバック調整機構であって、操作カムは周回りに複数の傾斜部を有して回動自在に設けられ、撮像素子支持体は光軸方向に移動可能とされ且つ撮像素子支持体に形成された複数の摺接凸部が前記傾斜部にそれぞれ当接して前記操作カムの回動に応じた量で撮像素子支持体が移動し、前記板状ばね部材は、基台部から延びる延出弾性部を２カ所に有し、前記基台部がシャーシに留め付けされることで前記延出弾性部が前記撮像素子支持体を付勢するように設けられたことを特徴とするフランジバック調整機構。
【請求項４】
請求項３に記載のフランジバック調整機構において、前記延出弾性部は、前記ガイド突起部の基端箇所付近を付勢するように構成されていることを特徴とするフランジバック調整機構。
【請求項５】
請求項１乃至請求項４のいずれかに記載のフランジバック調整機構において、前記操作カムの外周面に当接し得る位置に弾性板状体が設けられており、ねじの押圧力にて前記弾性板状体が操作カムの外周面に面圧接するように構成されたことを特徴とするフランジバック調整機構。
【請求項６】
請求項５に記載のフランジバック調整機構において、前記板状ばね部材に前記弾性板状体が一体的に形成されていることを特徴とするフランジバック調整機構。
【請求項７】
請求項５又は請求項６に記載のフランジバック調整機構において、前記操作カムは２カ所で浮き防止用の係止がなされていることを特徴とするフランジバック調整機構。
【発明の詳細な説明】
【０００１】
【産業上の利用分野】
この発明はビデオカメラ装置における撮像素子とレンズユニットとの位置調整に利用されるフランジバック調整機構に関する。
【０００２】
【従来の技術】
従来のフランジバック調整機構としては、撮像素子を支持するベース部に斜め形成された案内溝を有し、調整リングには前記案内溝に当接する案内部を有し、前記案内溝と案内部の係合位置関係によって前記ベース部を光軸方向に移動させる構造のものがある（特許文献１参照）。また、撮像素子を支持するベース部に嵌合孔を形成し、この嵌合孔にカラー部材の円筒部を嵌合させることで、前記ベース部を光軸方向に案内する構造のものがある（特許文献２参照）。
【０００３】
【特許文献１】
実開平５−５２８３６号公報
【特許文献２】
特開平１０−１５５１０１号公報
【０００４】
【発明が解決しようとする課題】
しかしながら、特許文献１に開示された技術では、円筒状を成すベース部材と調節リングとの嵌合でベース部材を光軸方向に案内する構造であり、各部品において十分な精度を確保することが難しい等の理由により、嵌合がたつきが生じやすく、フランジバック調整に際して画面の微動が生じる。また、特許文献２に開示された技術では、カラー部材を用いることで、ベース部材の案内精度の向上を図っているが、部品点数が多くなるという欠点がある。
【０００５】
この発明は、上記の事情に鑑み、構造の簡素化を図りつつ撮像素子を支持する部材を精度良く案内することができ、更に、前記部材に対する付勢や調整後の位置決めのための構造も簡素化できるフランジバック調整機構を提供することを目的とする。
【０００６】
【課題を解決するための手段】
この発明のフランジバック調整機構は、上記の課題を解決するために、レンズマウントと操作カムと撮像素子支持体と板状ばね部材とがシャーシを介して互いに連結されて成るフランジバック調整機構であって、操作カムは周回りに複数の傾斜部を有して回動自在に設けられ、撮像素子支持体はそのガイド突起を前記シャーシに形成された凹状ガイド片部に係合させて光軸方向に移動可能とされ且つ撮像素子支持体に形成された複数の摺接凸部が前記傾斜部にそれぞれ当接して前記操作カムの回動に応じた量で撮像素子支持体が移動し、前記板状ばね部材は前記撮像素子支持体を操作カム側へ付勢するように設けられていることを特徴としている。
【０００７】
上記の構成であれば、撮像素子支持体に形成されたガイド突起がシャーシの凹状ガイド片部に係合されて光軸方向に移動する構造となるため、ガイド機構として簡素化されたものになると共にシャーシ加工に一般に利用される打ち抜き・折り曲げ加工において前記凹状ガイド片部の加工精度を確保することは容易であり、撮像素子支持体をガイドするときのがたつきも軽減され、フランジバック調整時の撮像素子の回転微動を防止することができる。
【０００８】
前記ガイド突起には段部が形成されており、前記段部が凹状ガイド片部の壁面に当たることで光軸方向に直交する方向の移動規制がなされるように構成されているのがよい。これによれば、フランジバック調整時の撮像素子のスライド微動も十分に防止することができる。
【０００９】
また、この発明にかかるフランジバック調整機構は、レンズマウントと操作カムと撮像素子支持体と板状ばね部材とがシャーシを介して互いに連結されて成るフランジバック調整機構であって、操作カムは周回りに複数の傾斜部を有して回動自在に設けられ、撮像素子支持体は光軸方向に移動可能とされ且つ撮像素子支持体に形成された複数の摺接凸部が前記傾斜部にそれぞれ当接して前記操作カムの回動に応じた量で撮像素子支持体が移動し、前記板状ばね部材は、基台部から延びる延出弾性部を２カ所に有し、前記基台部がシャーシに留め付けされることで前記延出弾性部が前記撮像素子支持体を付勢するように設けられたことを特徴とする。かかる構成であれば、カラー部材などの円筒部材にコイルばねを装着する従来構造に比べて付勢構造の簡素化が図れることになる。
【００１０】
前記延出弾性部は、前記ガイド突起部の基端箇所付近を付勢するように構成されているのがよい。これによれば、付勢箇所がガイド箇所近傍となり、ガイド及び付勢の安定度が向上する。
【００１１】
前記操作カムの外周面に当接し得る位置に弾性板状体が設けられており、ねじの押圧力にて前記弾性板状体が操作カムの外周面に面圧接するように構成されているのがよい。これによれば、ねじの頭部を直接に操作カムの外周面に当ててロックする構造において生じるような当たり部の凹みを防止することができる。前記板状ばね部材に前記弾性板状体が一体的に形成されているのが望ましく、これによれば、部品点数の削減も図れる。
【００１２】
前記操作カムは２カ所で浮き防止用の係止がなされているのがよい。これにより、前記操作カムには、前記の２カ所と前記ねじによる圧接箇所の３点支持作用が得られ、ロックの確実性が向上する。
【００１３】
【発明の実施の形態】
以下、この発明の実施形態におけるフランジバック調整機構を図１乃至図４に基づいて説明する。
【００１４】
図１の分解斜視図及び図２の平面図に示しているように、この実施形態のフランジバック調整機構は、金属製のレンズマウント１と樹脂製の操作カム２と樹脂製の撮像素子支持体３と金属製の板状ばね部材４とが金属製のシャーシ５を介して互いに連結されて成るものである。レンズマウント１はガイドねじ６及び固定ねじ７，７によってシャーシ５に固定される。操作カム２のリング部２ａはシャーシ５の円形開口５ａを通ってレンズマウント１の筒部１ａ内に嵌合される。操作カム２の操作部２ｂはシャーシ５の開口５ｂから外部に露呈するようになっている。操作部２ｂの円弧開口に前記ガイドねじ６が位置している。円弧開口には前記ガイドねじ６の頭部と胴部に対応した段状に形成されており、前記頭部が段の上側に位置することで、操作カム２の浮き防止が行われている。また、シャーシ５に形成された突出片５ｃによっても操作カム２の浮き防止が行われている。そして、円弧開口とガイドねじ６とによって操作カム２の回動範囲規制が行なわれると共に、円弧開口とガイドねじ６との当たりで操作カム２の移動規制がなされ、操作カム２のリング部２ａとレンズマウント１の筒部１ａとの間に多少の隙間があっても、操作時において操作カム２ががたつくことはない。また、撮像素子支持体３はその円筒部を操作カム２におけるリング部２ａ内に嵌合して設けられている。そして、撮像素子支持体３にはＣＣＤ回路基板８がねじ９によって固定される。板状ばね部材４は前記固定ねじ７，７によってシャーシ５に固定され、撮像素子支持体３を操作カム２側へ付勢する。
【００１５】
前記操作カム２は周回りに３つの傾斜部２１を有している。撮像素子支持体３の円筒部にはその直径方向にガイド突起３１・３１が形成されている。撮像素子支持体３は前記ガイド突起３１・３１を前記シャーシ５に形成された凹状ガイド片部５１・５１に係合させて光軸方向に移動できるようになっている。また、撮像素子支持体３に形成された３つの摺接凸部３２が前記傾斜部２１にそれぞれ当接しており、前記操作カム２の回動に応じた量で撮像素子支持体３が光軸方向に移動する。このように、撮像素子支持体３に形成されたガイド突起３１がシャーシ５の凹状ガイド片部５１に係合されて光軸方向に移動する構造となるため、ガイド機構として簡素化されて組み立て易いものになると共に、シャーシ加工に一般に利用されている打ち抜き・折り曲げ加工において前記凹状ガイド片部５１・５１の加工精度を確保することは容易であり、撮像素子支持体３をガイドするときのがたつきも軽減され、フランジバック調整時のＣＣＤ８ａの回転微動を防止することができる。
【００１６】
図３は撮像素子支持体３を拡大して示した斜視図である。ガイド突起３１には凹状ガイド片部５１に係合されない段部３１ａが形成されている。前記段部３１ａが凹状ガイド片部５１の内側壁面に当たることで、撮像素子支持体３は光軸方向に直交する方向にも移動規制される。これにより、フランジバック調整時のＣＣＤ８ａのスライド微動も防止することができる。なお、撮像素子支持体３にはＣＣＤ回路基板８に対する位置決め用のピン及び前記ねじ９が螺合されるねじ穴が各々２つずつ形成されている。
【００１７】
図４は板状ばね部材４を拡大して示した斜視図である。板状ばね部材４は、基台部４ａから延びる延出弾性部４ｂを左右２カ所に有している。前記基台部４ａがシャーシ５にねじ留めされることで延出弾性部４ｂ・４ｂが前記撮像素子支持体３を付勢することになり、従来のカラー部材などの円筒部材にコイルばねを装着する構造に比べて付勢構造の簡素化が図られている。また、延出弾性部４ｂ・４ｂは、前記ガイド突起部３１の基端箇所付近を付勢しており、これにより、付勢箇所がガイド箇所近傍となり、ガイド及び付勢の安定度が向上する。
【００１８】
また、前記板状ばね部材４には弾性板状体４ｃが形成されている。この弾性板状体４ｃは前記操作カム２の外周立設壁２２に当接する位置に延びている。そして、この当接する部位は操作カム２の外周立設壁２２に対面するように折り曲げられており、面で当接するようになっている。前記シャーシ５は枠状シャーシ（図示せず）に取り付けられるようになっている。この枠状シャーシにロック用ねじ１０（図２参照）が螺合されており、このロック用ねじ１０の先端が弾性板状体４ｃの受け部に当たるようになっている。前記受け部は前記面接触用の折り曲げ部よりもロック用ねじ１０側に位置している。ロック用ねじ１０を回すことで、その先端が前記受け部を押圧し、前記折り曲げ部によって弾性板状体４ｃに対する押圧力が発生し、この押圧力にて前記弾性板状体４ｃが操作カム２の外周立設壁２２に面圧接し、調整位置のロックが行なわれる。上記のごとく、弾性板状体４ｃは操作カム２の外周立設壁２２に面圧接するため、ねじの頭部を直接に操作カムの外周面に当ててロックする構造において生じるような当たり部の凹みを防止することができる。また、弾性板状体４ｃは板状ばね部材４に一体的に形成されたものであるため、部品点数の削減も図れることになる。
【００１９】
なお、弾性板状体４ｃに相当する別個の部材をシャーシ５にねじ留めする構造としてもよく、かかる場合には部品点数削減は図れないものの、面圧接によって前記凹みの防止を図ることができる。
【００２０】
また、操作カム２はガイドねじ６とシャーシ５の突出片５ｃの２カ所で浮き防止用の係止がなされており、操作カム２には前記の２カ所と前記ロック用ねじ１０による圧接箇所の３点支持作用が得られ、ロックの確実性が向上する。なお、撮像素子支持体３はその円筒部を操作カム２におけるリング部２ａ内に嵌合して設けられるが、撮像素子支持体３の支持は凹状ガイド片部５１によって行なわれているものであり、前記ロックの際に操作カム２が微動しても、その影響は撮像素子支持体３には及ばない。
【００２１】
【発明の効果】
以上説明したように、この発明によれば、構造の簡素化を図りつつ撮像素子支持体を精度良く案内することができる。また、撮像素子支持体に対する付勢や調整後の位置決めのための構造も簡素化できる等の諸効果を奏する。
【図面の簡単な説明】
【図１】この発明の実施形態のフランジバック調整機構を示した分解斜視図である。
【図２】この発明の実施形態のフランジバック調整機構を示した平面図である。
【図３】撮像素子支持体の拡大斜視図である。
【図４】板状ばね部材の拡大斜視図である。
【符号の説明】
１    レンズマウント
２    操作カム
３    撮像素子支持体
４    板状ばね部材
５    シャーシ
６    ガイドねじ
８    ＣＣＤ回路基板
１０  ロック用ねじ
【図１】
2004151251.tif 000003
【図２】
2004151251.tif 000004
【図３】
2004151251.tif 000005
【図４】
2004151251.tif 000006